(57)【要約】【課題】無線接続状態に起因する呼セッションの切断を防止することができる基地局装置、無線端末装置、および呼セッション維持方法を提供する。【解決手段】ＳＩＰサーバ１６は、Ｓ１００〜Ｓ１１６の後に無線端末１２と相手端末１８との間で確立されるＳＩＰセッションの切断タイミングを計るタイマを有している。無線端末１２は、ＳＩＰサーバ１６に対してそのタイマを初期値に戻すためのｒｅ−ＩＮＶＩＴＥメッセージ（タイマ初期化要求）をその初期値より短い周期で送信する。無線端末１２と無線通信を行う基地局１４は、無線端末１２と基地局１４との間の無線接続状態を監視しており、その無線接続状態が所定の状態になった場合に（Ｓ１２０，Ｓ１２４）、無線端末１２の代わりに、ｒｅ−ＩＮＶＩＴＥメッセージをＳＩＰサーバ１６に送信する（Ｓ１２４）。【選択図】図２
2010154514.tif 000002
【特許請求の範囲】
【請求項１】
相手装置との間で確立される呼セッションの切断タイミングを計るタイマを有する呼制御サーバに対して前記タイマを初期値に戻すためのタイマ初期化要求を該初期値より短い周期で送信する無線端末装置と、無線通信を行う基地局装置であって、
前記無線端末装置と当該基地局装置との間の無線接続状態を監視する監視手段と、
前記監視手段により監視される無線接続状態が所定の状態になった場合に、前記無線端末装置の代わりに、前記タイマ初期化要求を前記呼制御サーバに送信する代替送信手段と、
を含むことを特徴とする基地局装置。
【請求項２】
請求項１に記載の基地局装置において、
前記代替送信手段は、前記無線端末装置と当該基地局装置との無線接続が所定時間以上の切断状態から復旧した場合に、前記タイマ初期化要求を前記呼制御サーバに送信する、
ことを特徴とする基地局装置。
【請求項３】
請求項１または２に記載の基地局装置において、
前記呼セッションの確立に応じて前記代替送信手段を有効にし、前記呼セッションの終了に応じて前記代替送信手段を無効にする手段をさらに含む、
ことを特徴とする基地局装置。
【請求項４】
請求項１から３のいずれかに記載の基地局装置において、
前記呼制御サーバは、ＳＩＰサーバであり、
前記呼セッションは、ＳＩＰセッションである、
ことを特徴とする基地局装置。
【請求項５】
請求項１から４のいずれかに記載の基地局装置において、
前記代替送信手段は、前記基地局装置の処理負荷が所定値以上である場合に、前記タイマ初期化要求の代替送信を制限する、
ことを特徴とする基地局装置。
【請求項６】
請求項１から５のいずれかに記載の基地局装置において、
前記代替送信手段は、前記タイマ初期化要求の代替送信の頻度が所定頻度以上である場合に、前記タイマ初期化要求の代替送信を制限する、
ことを特徴とする基地局装置。
【請求項７】
基地局装置と無線通信を行うとともに、相手装置との間で確立される呼セッションの切断タイミングを計るタイマを有する呼制御サーバに対し前記タイマを初期値に戻すためのタイマ初期化要求を該初期値より短い周期で前記基地局装置を介して送信する無線端末装置であって、
当該無線端末装置と前記基地局装置との間の無線接続状態を監視する監視手段と、
前記監視手段により監視される無線接続状態が所定の状態になった場合に、前記タイマ初期化要求を前記呼制御サーバにさらに送信する予備送信手段と、
を含むことを特徴とする無線端末装置。
【請求項８】
請求項７に記載の無線端末装置において、
前記予備送信手段は、前記基地局装置と当該無線端末装置との無線接続が所定時間以上の切断状態から復旧した場合に、前記タイマ初期化要求を前記呼制御サーバに送信する、
ことを特徴とする無線端末装置。
【請求項９】
請求項７または８に記載の無線端末装置において、
前記呼セッションの確立に応じて前記予備送信手段を有効にし、前記呼セッションの終了に応じて前記予備送信手段を無効にする手段をさらに含む、
ことを特徴とする無線端末装置。
【請求項１０】
請求項７から９のいずれかに記載の無線端末装置において、
前記呼制御サーバは、ＳＩＰサーバであり、
前記呼セッションは、ＳＩＰセッションである、
ことを特徴とする無線端末装置。
【請求項１１】
相手装置との間で確立される呼セッションの切断タイミングを計るタイマを有する呼制御サーバに対して前記タイマを初期値に戻すためのタイマ初期化要求を該初期値より短い周期で送信する無線端末装置と、該無線端末装置と無線通信を行う基地局装置と、を含む無線通信システムにおける呼セッション維持方法であって、
前記無線端末装置と前記基地局装置との間の無線接続状態を監視するステップと、
前記監視される無線接続状態が所定の状態になった場合に、前記タイマ初期化要求を前記呼制御サーバに送信するステップと、
を含むことを特徴とする呼セッション維持方法。
【発明の詳細な説明】
【技術分野】
【０００１】
本発明は、基地局装置、無線端末装置、および呼セッション維持方法に関する。
【背景技術】
【０００２】
ＩＰ網を中継交換機として機能させる呼制御プロトコルとして、ＳＩＰ（Session Initiation Protocol）、ＭＧＣＰ（Media Gateway Control Protocol）、ＭＥＧＡＣＯ（Media Gateway Control Protocol）などが知られている。
【０００３】
たとえばＳＩＰ（Session Initiation Protocol）では、通信開始時に、発呼端末がＳＩＰサーバ（呼制御サーバ）経由で着呼端末にＩＮＶＩＴＥメッセージを送信する。発呼端末からのＩＮＶＩＴＥメッセージを受信した着呼端末は、ＲｉｎｇｉｎｇメッセージとＯＫメッセージとをＳＩＰサーバ経由で発呼端末に返信する。これにより、発呼端末と着呼端末との間にＳＩＰセッション（呼セッション）が確立される（たとえば、特許文献１参照）。発呼端末と着呼端末との間に確立されたＳＩＰセッションは、発呼端末および着呼端末の一方がその他方にＢＹＥメッセージを送信することによって切断される。
【０００４】
また、このＳＩＰセッションは、ＳＩＰサーバによって切断される場合もある。すなわち、ＳＩＰサーバはＳＩＰセッションごとにその切断タイミングを計るタイマを有しており、このタイマが０になると、ＳＩＰサーバから着呼端末にＢＹＥメッセージが送信され、ＳＩＰセッションが切断される。一方、発呼端末は、ＳＩＰセッションのタイマを初期値に戻すためのｒｅ−ＩＮＶＩＴＥメッセージをその初期値より短い周期でＳＩＰサーバに送信することにより、通信に使用されているＳＩＰセッションを維持しようとする。これにより、通信に使用されていないＳＩＰセッションだけが好適に解放されるようになっている。
【０００５】
なお、特許文献２には、保留時間の経過による基地局との通信リンク切断を防止し、スループットの向上を図る移動無線通信装置が開示されている。
【先行技術文献】
【特許文献】
【０００６】
【特許文献１】特開２００８−１０３９５２号公報（第０００４段落〜第０００８段落、図８など）
【特許文献２】特開平１１−３３１９３３号公報
【発明の概要】
【発明が解決しようとする課題】
【０００７】
しかしながら、呼制御プロトコルとしてＳＩＰを採用する無線通信システムでは、無線端末と基地局との間の無線接続が一時的に失われることがあるため、無線端末から送信されたｒｅ−ＩＮＶＩＴＥメッセージが欠落し、ＳＩＰサーバに到達しない場合がある。このため、ＳＩＰサーバが有するＳＩＰセッションのタイマが意図しないタイミングで０になり、通信中にもかかわらずＳＩＰセッションが切断されるおそれがある。
【０００８】
なお、かかる問題は、ＳＩＰと類似の呼制御プロトコルを採用する無線通信システムでも同様に起こり得る。
【０００９】
本発明は、上記従来の課題に鑑みてなされたものであり、無線接続状態に起因する呼セッションの切断を防止することができる基地局装置、無線端末装置、および呼セッション維持方法を提供することを目的とする。
【課題を解決するための手段】
【００１０】
上記課題を解決するために、本発明に係る基地局装置は、相手装置との間で確立される呼セッションの切断タイミングを計るタイマを有する呼制御サーバに対して前記タイマを初期値に戻すためのタイマ初期化要求を該初期値より短い周期で送信する無線端末装置と、無線通信を行う基地局装置であって、前記無線端末装置と当該基地局装置との間の無線接続状態を監視する監視手段と、前記監視手段により監視される無線接続状態が所定の状態になった場合に、前記無線端末装置の代わりに、前記タイマ初期化要求を前記呼制御サーバに送信する代替送信手段と、を含むことを特徴とする。
【００１１】
本発明によれば、無線端末装置と基地局装置との間の無線接続状態が所定の状態になった場合（たとえば、無線接続が切断された場合、無線接続が切断後に復旧した場合、無線接続の切断頻度が所定頻度を上回った場合、無線通信品質が所定レベル未満となった場合など）に、予めその基地局装置から呼制御サーバにタイマ初期化要求が送信される。このため、たとえ無線端末装置から周期的に送信されるタイマ初期化要求がその無線端末装置と基地局装置との間の無線接続状態に起因して欠落しても、無線端末装置と相手装置との間で確立された呼セッションの切断を防ぐことができる。
【００１２】
また、本発明の一態様では、前記代替送信手段は、前記無線端末装置と当該基地局装置との無線接続が所定時間以上の切断状態から復旧した場合に、前記タイマ初期化要求を前記呼制御サーバに送信する。
【００１３】
この態様によれば、たとえ無線端末装置から周期的に送信されるタイマ初期化要求がその無線端末装置と基地局装置との間の無線接続の切断に起因して欠落しても、無線端末装置と相手装置との間で確立された呼セッションの切断を防ぐことができる。また、無線端末装置の電源断などによってその無線端末装置と基地局装置との間の無線接続の切断された場合に、無線接続が切断状態から復旧しないにもかかわらず呼セッションが不必要に維持されることを防ぐこともできる。
【００１４】
また、本発明の一態様では、前記呼セッションの確立に応じて前記代替送信手段を有効にし、前記呼セッションの終了に応じて前記代替送信手段を無効にする手段をさらに含む。
【００１５】
なお、前記代替送信手段は、前記基地局装置の処理負荷が所定値以上である場合に、前記タイマ初期化要求の代替送信を制限してもよい。また、前記代替送信手段は、前記タイマ初期化要求の代替送信の頻度が所定頻度以上である場合に、前記タイマ初期化要求の代替送信を制限してもよい。こうすれば、タイマ初期化要求の過剰な代替送信による基地局装置の処理負荷の上昇を抑制することができる。
【００１６】
また、本発明に係る無線端末装置は、基地局装置と無線通信を行うとともに、相手装置との間で確立される呼セッションの切断タイミングを計るタイマを有する呼制御サーバに対し前記タイマを初期値に戻すためのタイマ初期化要求を該初期値より短い周期で前記基地局装置を介して送信する無線端末装置であって、当該無線端末装置と前記基地局装置との間の無線接続状態を監視する監視手段と、前記監視手段により監視される無線接続状態が所定の状態になった場合に、前記タイマ初期化要求を前記呼制御サーバにさらに送信する予備送信手段と、を含むことを特徴とする。
【００１７】
本発明によれば、無線端末装置と基地局装置との間の無線接続状態が所定の状態になった場合に、予めその無線端末装置から呼制御サーバにタイマ初期化要求が送信される。このため、たとえ無線端末装置から周期的に送信されるタイマ初期化要求がその無線端末装置と基地局装置との間の無線接続状態に起因して欠落しても、無線端末装置と相手装置との間で確立された呼セッションの切断を防ぐことができる。
【００１８】
また、本発明の一態様では、前記予備送信手段は、前記基地局装置と当該無線端末装置との無線接続が所定時間以上の切断状態から復旧した場合に、前記タイマ初期化要求を前記呼制御サーバに送信する。
【００１９】
この態様によれば、たとえ無線端末装置から周期的に送信されるタイマ初期化要求がその無線端末装置と基地局装置との間の無線接続の切断に起因して欠落しても、無線端末装置と相手装置との間で確立された呼セッションの切断を防ぐことができる。また、無線端末装置の電源断などによってその無線端末装置と基地局装置との間の無線接続が切断された場合に、無線接続が切断状態から復旧しないにもかかわらず呼セッションが不必要に維持されることを防ぐこともできる。
【００２０】
また、本発明の一態様では、前記呼セッションの確立に応じて前記予備送信手段を有効にし、前記呼セッションの終了に応じて前記予備送信手段を無効にする手段をさらに含む。
【００２１】
なお、上記各態様において、前記呼制御サーバは、ＳＩＰサーバであり、前記呼セッションは、ＳＩＰセッションであってもよい。
【００２２】
また、本発明に係る呼セッション維持方法は、相手装置との間で確立される呼セッションの切断タイミングを計るタイマを有する呼制御サーバに対して前記タイマを初期値に戻すためのタイマ初期化要求を該初期値より短い周期で送信する無線端末装置と、該無線端末装置と無線通信を行う基地局装置と、を含む無線通信システムにおける呼セッション維持方法であって、前記無線端末装置と前記基地局装置との間の無線接続状態を監視するステップと、前記監視される無線接続状態が所定の状態になった場合に、前記タイマ初期化要求を前記呼制御サーバに送信するステップと、を含むことを特徴とする。
【図面の簡単な説明】
【００２３】
【図１】本発明の第１実施形態に係る無線通信システムの構成図である。
【図２】本発明の第１実施形態に係るＳＩＰセッションの確立処理および終了処理を示すシーケンス図である。
【図３】本発明の第１実施形態に係る基地局の機能ブロック図である。
【図４】本発明の第１実施形態に係る基地局のｒｅ−ＩＮＶＩＴＥ代替送信処理を示すフロー図である。
【図５】本発明の第２実施形態に係る無線端末の機能ブロック図である。
【発明を実施するための形態】
【００２４】
［第１実施形態］
以下、本発明の第１実施形態を図面に基づいて詳細に説明する。
【００２５】
図１は、本発明の第１実施形態に係る無線通信システム１０の構成図である。同図に示すように、無線通信システム１０は、無線端末１２（無線端末装置）と、無線端末１２と無線通信を行う基地局１４と、ＳＩＰサーバ１６と、相手端末１８（相手装置）と、基地局１４およびＳＩＰサーバ１６が接続されるローカルＩＰ網２０と、相手端末１８が接続されるローカルＩＰ網２２と、ローカルＩＰ網２０とローカルＩＰ網２２とを接続するコアＩＰ網２４と、を含んで構成される。
【００２６】
ＳＩＰサーバ１６は、ＳＩＰプロキシ（SIP Proxy）、ＳＩＰリダイレクトサーバ（SIP redirect server）、ＳＩＰレジストラ（SIP registrar）などの機能を備える公知のＳＩＰサーバである。
【００２７】
無線端末１２および相手端末１８は、ＳＩＰサーバ１６に対応するＳＩＰ端末であり、それぞれＩＰアドレスが付与されている。無線端末１２と相手端末１８との間で確立されるＳＩＰセッションは、ＳＩＰサーバ１６によって管理される。なお、通信に使用されていないＳＩＰセッションが不必要に維持されることを防ぐため、ＳＩＰサーバ１６は、ＳＩＰセッションごとにその切断タイミングを計るタイマを有しており、このタイマが０になったタイミングでＳＩＰセッションを切断する。
【００２８】
図２は、無線通信システム１０におけるＳＩＰセッションの確立処理および終了処理を示すシーケンス図である。ここでは、無線端末１２が相手端末１８に発呼する場合について説明する。同図に示すように、無線端末１２はまず、基地局１４およびＳＩＰサーバ１６経由で相手端末１８にＩＮＶＩＴＥメッセージを送信する（Ｓ１００〜Ｓ１０４）。無線端末１２からのＩＮＶＩＴＥメッセージを受信した相手端末１８は、ＲｉｎｇｉｎｇメッセージとＯＫメッセージとをＳＩＰサーバ１６および基地局１４経由で無線端末１２に返信する（Ｓ１０６〜Ｓ１１６）。これにより、無線端末１２と相手端末１８との間にＳＩＰセッションが開始される。
【００２９】
ＳＩＰセッションが開始されると、無線端末１２は、相手端末１８との通信が終了するまでの間そのＳＩＰセッションが維持されるよう、ＳＩＰセッションのタイマを初期値（たとえば３０分）に戻すためのｒｅ−ＩＮＶＩＴＥメッセージをその初期値より短い周期（たとえば１０分間隔）で基地局１４を介してＳＩＰサーバ１６に送信する。
【００３０】
なお、本実施形態では、基地局１４が、ｒｅ−ＩＮＶＩＴＥメッセージを無線端末１２に代わって送信する機能（以下「ｒｅ−ＩＮＶＩＴＥ代替送信機能」という）を備えている。このｒｅ−ＩＮＶＩＴＥ代替送信機能は、ＳＩＰセッションの確立に応じて、すなわち基地局１４がＳＩＰサーバ１６経由で相手端末１８から返信されたＯＫメッセージを無線端末１２に転送した後に有効（ＯＮ）になる（Ｓ１１８）。
【００３１】
基地局１４のｒｅ−ＩＮＶＩＴＥ代替送信機能が有効化されると、無線状態の悪化により無線端末１２と基地局１４との間の無線接続状態が所定の状態になった場合に、基地局１４からＳＩＰサーバ１６にｒｅ−ＩＮＶＩＴＥメッセージが送信される。具体的には、無線端末１２と基地局１４との間の無線接続が切断され（Ｓ１２０）、その後切断状態から復旧した場合に（Ｓ１２２）、その切断期間が所定時間（規定値）以上であれば、無線端末１２の代わりに基地局１４がｒｅ−ＩＮＶＩＴＥメッセージをＳＩＰサーバ１６に送信する（Ｓ１２４）。
【００３２】
これにより、たとえ無線端末１２から周期的に送信されるｒｅ−ＩＮＶＩＴＥメッセージが無線端末１２と基地局１４との間の無線接続状態に起因して欠落したとしても、無線端末１２と相手端末１８との間で確立されたＳＩＰセッションがＳＩＰサーバ１６によって切断されることを防ぐことができる。また、無線端末１２の電源断などによって無線端末１２と基地局１４との間の無線接続の切断された場合に、無線接続が切断状態から復旧しないにもかかわらずＳＩＰセッションが不必要に維持されることを防ぐこともできる。
【００３３】
相手端末１８が無線端末１２との通信を終了する場合、相手端末１８は、ＳＩＰサーバ１６および基地局１４経由で無線端末１２にＢＹＥメッセージを送信する（Ｓ１２６〜Ｓ１３０）。相手端末１８からのＢＹＥメッセージを受信した無線端末１２は、ＯＫメッセージを基地局１４およびＳＩＰサーバ１６経由で相手端末１８に返信する（Ｓ１３４〜Ｓ１３８）。これにより、無線端末１２と相手端末１８との間に確立されたＳＩＰセッションは終了する。なお、基地局１４のｒｅ−ＩＮＶＩＴＥ代替送信機能は、ＳＩＰセッションの終了に応じて、すなわち基地局１４がＳＩＰサーバ１６経由で相手端末１８から送信されたＢＹＥメッセージを無線端末１２に転送した後に無効（ＯＦＦ）になる（Ｓ１３２）。
【００３４】
以下では、上記処理を実現するために基地局１４が備える構成について説明する。図３は、基地局１４の機能ブロック図である。同図に示すように、基地局１４は、アンテナ３０、無線通信部３２、有線通信部３４、および制御部３６（無線接続状態監視部３８、ｒｅ−ＩＮＶＩＴＥ送信制御部４０、代替送信指示部４２、代替送信有効化部４４）を含んで構成される。
【００３５】
アンテナ３０は、無線信号を受信し、受信された無線信号を無線通信部３２に出力する。また、アンテナ３０は、無線通信部３２から供給される無線信号を無線端末１２に対して送信する。
【００３６】
無線通信部３２は、低雑音増幅器、電力増幅器、周波数変換器、帯域通過フィルタ、Ａ／Ｄ変換器、Ｄ／Ａ変換器、復調回路、および変調回路を含んで構成される。無線通信部３２は、アンテナ３０から入力される無線信号に、増幅、ダウンコンバート、Ａ／Ｄ変換、ディジタル復調などを施し、得られた受信データ（ＩＰパケット）を制御部３６に出力する。また、無線通信部３２は、制御部３６から入力される送信データ（ＩＰパケット）に、ディジタル変調、Ｄ／Ａ変換、アップコンバート、増幅などを施し、得られた無線信号をアンテナ３０に供給する。
【００３７】
有線通信部３４は、たとえばＩＰ網インターフェース装置を含んで構成される。有線通信部３４は、制御部３６から入力されるＩＰパケット（ＩＮＶＩＴＥメッセージ、ｒｅ−ＩＮＶＩＴＥメッセージ、ＢＹＥメッセージ、通信データなど）を、そのＩＰパケットに含まれる宛先ＩＰアドレスに応じた送信先（ＳＩＰサーバ１６、相手端末１８など）にローカルＩＰ網２０を介して送信する。また、有線通信部３４は、ローカルＩＰ網２０を介して他の装置（ＳＩＰサーバ１６、相手端末１８など）から受信されるＩＰパケット（ＩＮＶＩＴＥメッセージ、ＢＹＥメッセージ、通信データなど）を制御部３６に出力する。
【００３８】
制御部３６は、たとえばＣＰＵ（Central Processing Unit）およびＣＰＵの動作を制御するプログラムで構成され、基地局１４の各部を制御する。特に、制御部３６は、無線接続状態監視部３８、ｒｅ−ＩＮＶＩＴＥ送信制御部４０、代替送信指示部４２、および代替送信有効化部４４を機能的に含み、無線端末１２と相手端末１８との間で確立されるＳＩＰセッションに係る処理を行う。
【００３９】
無線接続状態監視部３８は、無線端末１２と基地局１４との間の無線接続状態を監視する。無線接続状態監視部３８は、無線端末１２用の無線リソースが確保された状態の下でその無線端末１２からの無線信号が継続して受信されているか否かに基づいて、無線端末１２と基地局１４との間の無線接続状態を識別する。たとえば、無線端末１２からのデータが無線通信部３２から制御部３６に継続的に入力されていれば、無線端末１２と基地局１４との間の無線接続が維持されている（無線ストリーム接続中）と識別され、無線端末１２からのデータが無線通信部３２から制御部３６に入力されていなければ、無線端末１２と基地局１４との間の無線接続が切断状態にある（無線ストリーム切断中）と識別される。なお、無線端末１２と基地局１４との間の無線接続状態は、上記方法とは異なる方法で識別されてもよい。
【００４０】
ｒｅ−ＩＮＶＩＴＥ送信制御部４０は、代替送信指示部４２に指示されたタイミングでｒｅ−ＩＮＶＩＴＥメッセージがＳＩＰサーバ１６に送信されるよう、ＳＩＰサーバ１６宛てのｒｅ−ＩＮＶＩＴＥメッセージを作成し、有線通信部３４に出力する。
【００４１】
代替送信指示部４２は、無線接続状態監視部３８により監視される無線接続状態が所定の状態になった場合に、ｒｅ−ＩＮＶＩＴＥ送信制御部４０に対して無線端末１２の代わりにｒｅ−ＩＮＶＩＴＥメッセージを送信するよう指示する。具体的には、無線端末１２と基地局１４との無線接続が所定時間以上の切断状態から復旧した場合に、ｒｅ−ＩＮＶＩＴＥメッセージの代替送信が指示される。なお、ｒｅ−ＩＮＶＩＴＥメッセージの送信タイミングは、上記条件とは異なる条件（無線接続状態の変化に係る条件）に基づいて決定されてもよい。
【００４２】
また、代替送信指示部４２は、基地局１４の処理負荷（ＣＰＵ占有率、基地局１４に接続している無線端末１２の数など）が所定値以上である場合に、ｒｅ−ＩＮＶＩＴＥメッセージの代替送信を制限してもよい。たとえば、限りある無線リソースを複数の無線端末１２でシェアする場合、ストリームのオープン処理とクローズ処理が頻繁に発生するため、基地局１４の処理負荷が上昇しやすい。このような場合を考慮して、基地局１４の処理負荷が所定値未満である場合にだけ、代替送信指示部４２がｒｅ−ＩＮＶＩＴＥメッセージの代替送信を指示するようにすれば、ｒｅ−ＩＮＶＩＴＥメッセージの過剰な代替送信による基地局１４の処理負荷の上昇を抑制することができる。
【００４３】
また、代替送信指示部４２は、ｒｅ−ＩＮＶＩＴＥメッセージの代替送信の頻度が所定頻度以上である場合に、ｒｅ−ＩＮＶＩＴＥメッセージの代替送信を制限してもよい。たとえば、ｒｅ−ＩＮＶＩＴＥメッセージの代替送信の間隔（前回の代替送信から今回の代替送信までの時間差）がＳＩＰセッションのタイマの初期値の半分（たとえば１５分、もちろんＳＩＰセッションの初期値の半分だけに限定されない）を超える場合にだけ、代替送信指示部４２がｒｅ−ＩＮＶＩＴＥメッセージの代替送信を指示するようにすれば、ｒｅ−ＩＮＶＩＴＥメッセージの過剰な代替送信による基地局１４の処理負荷の上昇を抑制することができる。
【００４４】
もちろん、代替送信指示部４２は、基地局１４の処理負荷が所定値以上であり、かつ、ｒｅ−ＩＮＶＩＴＥメッセージの代替送信の頻度が所定頻度以上である場合に、ｒｅ−ＩＮＶＩＴＥメッセージの代替送信を制限してもよい。
【００４５】
代替送信有効化部４４は、所定のタイミングで、基地局１４のｒｅ−ＩＮＶＩＴＥ代替送信機能の有効／無効を切り換える。すなわち、代替送信有効化部４４は、ＳＩＰセッションの確立に応じて、ｒｅ−ＩＮＶＩＴＥ送信制御部４０によるｒｅ−ＩＮＶＩＴＥメッセージの代替送信機能を有効する。一方、代替送信有効化部４４は、ＳＩＰセッションの終了に応じて、ｒｅ−ＩＮＶＩＴＥ送信制御部４０によるｒｅ−ＩＮＶＩＴＥメッセージの代替送信機能を無効にする。なお、ＳＩＰセッションは、ＳＩＰレイヤより下のレイヤでの接続が切断された場合（ＬＣＰタイマのタイムアウト、Ａ１０レジストレーションタイマのタイムアウトなど）にも終了する。
【００４６】
ここで、基地局１４の動作について説明する。図４は、基地局１４のｒｅ−ＩＮＶＩＴＥ代替送信処理を示すフロー図である。ここでは、基地局１４と無線通信を行う無線端末１２と相手端末１８との間にＳＩＰセッションが確立されているものとする。
【００４７】
同図に示すように、ｒｅ−ＩＮＶＩＴＥ代替送信機能が有効化された基地局１４は、無線端末１２と基地局１４との間の無線接続が切断されたか否かを監視している（Ｓ２００：Ｎ）。ここで、無線接続の切断が検出されると（Ｓ２００：Ｙ）、基地局１４は、切断時間計測用のタイマを開始するとともに（Ｓ２０２）、無線端末１２と基地局１４との間の無線接続が切断状態から復旧したか否かの監視を開始する（Ｓ２０４：Ｎ）。
【００４８】
無線端末１２と基地局１４との間の無線接続が切断状態から復旧すると（Ｓ２０４：Ｙ）、基地局１４は、切断時間計測用のタイマを停止するとともに（Ｓ２０６）、タイマにより計測された切断時間が所定時間以上であるか否かを判定する（Ｓ２０８）。ここで、基地局１４は、切断時間が所定時間以上である場合に限り（Ｓ２０８：Ｙ）、無線端末１２の代わりに、ｒｅ−ＩＮＶＩＴＥメッセージをＳＩＰサーバ１６に送信する（Ｓ２１０）。
【００４９】
その後、ｒｅ−ＩＮＶＩＴＥ代替送信機能は有効であるか否かを確認し（Ｓ２１２）、ｒｅ−ＩＮＶＩＴＥ代替送信機能が無効化されるまでＳ２００以降の処理を繰り返し実行する。
【００５０】
なお、Ｓ２０８とＳ２１０の間において、基地局１４が、自局の処理負荷が所定値であるか否か、およびｒｅ−ＩＮＶＩＴＥメッセージの代替送信の頻度が所定頻度以上であるか否かを判定し、これら２つの条件が充足される場合（処理負荷が所定値以上であり、代替送信の頻度が所定頻度以上である場合）にだけＳ２１０の処理を実行するようにしてもよい（充足されない場合はＳ２１０を処理をスキップ）。
【００５１】
以上説明した実施形態によれば、無線端末１２と基地局１４との間の無線接続状態が所定の状態になった場合に、予め基地局１４からＳＩＰサーバ１６にｒｅ−ＩＮＶＩＴＥメッセージが送信される。このため、たとえ無線端末１２から周期的に送信されるｒｅ−ＩＮＶＩＴＥメッセージが無線端末１２と基地局１４との間の無線接続状態に起因して欠落したとしても、無線端末１２と相手端末１８との間で確立されたＳＩＰセッションの切断を防ぐことができる。
【００５２】
［第２実施形態］
以下、本発明の第２実施形態を図面に基づいて説明する。なお、重複説明を避けるため、第１実施形態（図１）で用いた符号と同じ符号をここでも使用するものとする。
【００５３】
第１実施形態では、無線端末１２と基地局１４との間の無線接続状態が所定の状態になった場合に、無線端末１２の代わりに、基地局１４がｒｅ−ＩＮＶＩＴＥメッセージをＳＩＰサーバ１６に送信する構成を示した。
【００５４】
これに対し、第２実施形態では、無線端末１２が、ＳＩＰサーバ１６にｒｅ−ＩＮＶＩＴＥメッセージを周期的に送信するタイミング以外のタイミングで、ｒｅ−ＩＮＶＩＴＥメッセージを予備的に送信する機能（以下「ｒｅ−ＩＮＶＩＴＥ予備送信機能」という）を備えている。すなわち、本実施形態では、無線端末１２と基地局１４との間の無線接続状態が所定の状態になった場合に、基地局１４ではなく、無線端末１２自身が予めｒｅ−ＩＮＶＩＴＥメッセージをＳＩＰサーバ１６に送信する。
【００５５】
図５は、無線端末１２の機能ブロック図である。同図に示すように、無線端末１２は、アンテナ５０、無線通信部５２、および制御部５６（無線接続状態監視部５８、ｒｅ−ＩＮＶＩＴＥ送信制御部６０、予備送信指示部６２、予備送信有効化部６４）を含んで構成される。
【００５６】
アンテナ５０は、無線信号を受信し、受信された無線信号を無線通信部５２に出力する。また、アンテナ５０は、無線通信部５２から供給される無線信号を基地局１４に対して送信する。
【００５７】
無線通信部５２は、低雑音増幅器、電力増幅器、周波数変換器、帯域通過フィルタ、Ａ／Ｄ変換器、Ｄ／Ａ変換器、復調回路、および変調回路を含んで構成される。無線通信部５２は、アンテナ５０から入力される無線信号に、増幅、ダウンコンバート、Ａ／Ｄ変換、ディジタル復調などを施し、得られた受信データ（ＩＰパケット）を制御部５６に出力する。また、無線通信部５２は、制御部５６から入力される送信データ（ＩＰパケット）に、ディジタル変調、Ｄ／Ａ変換、アップコンバート、増幅などを施し、得られた無線信号をアンテナ５０に供給する。
【００５８】
制御部５６は、たとえばＣＰＵおよびＣＰＵの動作を制御するプログラムで構成され、無線端末１２の各部を制御する。特に、制御部５６は、無線接続状態監視部５８、ｒｅ−ＩＮＶＩＴＥ送信制御部６０、予備送信指示部６２、および予備送信有効化部６４を機能的に含み、無線端末１２と相手端末１８との間で確立されるＳＩＰセッションに係る処理を行う。
【００５９】
無線接続状態監視部５８は、無線端末１２と基地局１４との間の無線接続状態を監視する。無線接続状態監視部５８は、無線端末１２用の無線リソースが確保された状態の下でその基地局１４からの無線信号が継続して受信されているか否かに基づいて、無線端末１２と基地局１４との間の無線接続状態を識別する。たとえば、基地局１４からのデータが無線通信部５２から制御部５６に継続的に入力されていれば、無線端末１２と基地局１４との間の無線接続が維持されている（無線ストリーム接続中）と識別され、基地局１４からのデータが無線通信部５２から制御部５６に入力されていなければ、無線端末１２と基地局１４との間の無線接続が切断状態にある（無線ストリーム切断中）と識別される。なお、無線端末１２と基地局１４との間の無線接続状態は、上記方法とは異なる方法で識別されてもよい。
【００６０】
ｒｅ−ＩＮＶＩＴＥ送信制御部６０は、ＳＩＰサーバ１６が有するＳＩＰセッションのタイマの初期値（たとえば３０分）より短い周期（たとえば１０分間隔）でｒｅ−ＩＮＶＩＴＥメッセージがＳＩＰサーバ１６に送信されるよう、ＳＩＰサーバ１６宛てのｒｅ−ＩＮＶＩＴＥメッセージを作成し、無線通信部５２に出力する。
【００６１】
さらに、ｒｅ−ＩＮＶＩＴＥ送信制御部６０は、予備送信指示部６２に指示されたタイミングでｒｅ−ＩＮＶＩＴＥメッセージがＳＩＰサーバ１６に送信されるよう、ＳＩＰサーバ１６宛てのｒｅ−ＩＮＶＩＴＥメッセージを作成し、無線通信部５２に出力する。
【００６２】
予備送信指示部６２は、無線接続状態監視部５８により監視される無線接続状態が所定の状態になった場合に、ｒｅ−ＩＮＶＩＴＥ送信制御部６０に対してｒｅ−ＩＮＶＩＴＥメッセージを送信するよう指示する。具体的には、無線端末１２と基地局１４との無線接続が所定時間以上の切断状態から復旧した場合に、ｒｅ−ＩＮＶＩＴＥメッセージの予備送信が指示される。なお、ｒｅ−ＩＮＶＩＴＥメッセージの送信タイミングは、上記条件とは異なる条件に基づいて決定されてもよい。
【００６３】
予備送信有効化部６４は、所定のタイミングで、無線端末１２のｒｅ−ＩＮＶＩＴＥ予備送信機能の有効／無効を切り換える。すなわち、予備送信有効化部６４は、ＳＩＰセッションの確立に応じて、ｒｅ−ＩＮＶＩＴＥ送信制御部６０によるｒｅ−ＩＮＶＩＴＥメッセージの予備送信機能を有効する。一方、予備送信有効化部６４は、ＳＩＰセッションの終了に応じて、ｒｅ−ＩＮＶＩＴＥ送信制御部６０によるｒｅ−ＩＮＶＩＴＥメッセージの予備送信機能を無効にする。
【００６４】
以上説明した実施形態によれば、無線端末１２と基地局１４との間の無線接続状態が所定の状態になった場合に、予め無線端末１２からＳＩＰサーバ１６にｒｅ−ＩＮＶＩＴＥメッセージが送信される。このため、たとえ無線端末１２から周期的に送信されるｒｅ−ＩＮＶＩＴＥメッセージが無線端末１２と基地局１４との間の無線接続状態に起因して欠落したとしても、無線端末１２と相手端末１８との間で確立されたＳＩＰセッションの切断を防ぐことができる。
【００６５】
なお、本発明は、上記実施形態（第１実施形態および第２実施形態）に限定されるものではなく、種々の変形実施が可能である。
【００６６】
たとえば、上記実施形態では、呼制御プロトコルとしてＳＩＰを採用する無線通信システムに本発明を適用した例を示したが、本発明は、ＳＩＰと類似の呼制御プロトコルを採用する無線通信システムにも広く適用することができる。
【符号の説明】
【００６７】
１０  無線通信システム、１２  無線端末、１４  基地局、１６  ＳＩＰサーバ、１８  相手端末、２０，２２  ローカルＩＰ網、２４  コアＩＰ網、３０，５０  アンテナ、３２，５２  無線通信部、３４  有線通信部、３６，５６  制御部、３８，５８  無線接続状態監視部、４０，６０  ｒｅ−ＩＮＶＩＴＥ送信制御部、４２  代替送信指示部、４４  代替送信有効化部、６２  予備送信指示部、６４  予備送信有効化部。
【図１】
2010154514.tif 000003
【図２】
2010154514.tif 000004
【図３】
2010154514.tif 000005
【図４】
2010154514.tif 000006
【図５】
2010154514.tif 000007